(57)【要約】      （修正有）【課題】目的位置への確実な装着が可能な陰唇間パッドを提供する。【解決手段】陰唇間パッド１の裏面における幅方向中央部に中央指挿入部１１を配し、前記中央指挿入部１１の幅方向両側部に１つずつ側部指挿入部１２、１３を配する。前記中央指挿入部１１及び前記側部指挿入部１２、１３は、前記陰唇間パッド１の前側から後ろ側へ向かって指を挿入できるよう構成されている。【選択図】図１
2011067512.tif 000002
【特許請求の範囲】
【請求項１】
表面側に配置された透液性トップシートと裏面側に配置されたバックシートとの間に吸収体が介在されてなる陰唇間パッドにおいて、
前記陰唇間パッドの裏面における幅方向中央部に中央指挿入部を有し、
前記中央指挿入部の幅方向両側部に１つずつ側部指挿入部を有し、
前記中央指挿入部及び前記側部指挿入部は、前記陰唇間パッドの前側から後ろ側へ向かって指を挿入できるよう構成されている、
ことを特徴とする陰唇間パッド。
【請求項２】
前記中央指挿入部後端が側部指挿入部後端より後ろ側に位置する、請求項１記載の陰唇間パッド。
【請求項３】
前記中央指挿入部が側部指挿入部より、裏面側に高さを有する構造である、請求項１または２に記載の陰唇間パッド。
【請求項４】
前記側部指挿入部の中央側端部が、前側から後ろ側に向かうにつれて外側に位置するように傾斜している、請求項１〜３のいずれかに記載の陰唇間パッド。
【請求項５】
肌当接面における前記側部指挿入部と重なる部分に粘着剤塗布部をそれぞれ有する、請求項１〜４のいずれかに記載の陰唇間パッド。
【請求項６】
前後方向の長さが１２０〜１７０ｍｍ、幅方向の長さが８０〜１１０ｍｍであり、側端部から５〜２５ｍｍの部分に前記側部指挿入部を有する請求項１〜５記載のいずれかに記載の陰唇間パッド。
【請求項７】
陰唇間パッドの前端縁及び後端縁が、幅方向中央から幅方向両側に向かうにつれてそれぞれ前後方向中央から離間するように突出した後、側縁に向かうにつれて前後方向中央側へ戻る曲線をなしている、請求項１〜６のいずれかに記載の陰唇間パッド。
【請求項８】
前記吸収体が、幅方向中央部における前記側部指挿入部と重ならない部分に中高部を有する請求項１〜７のいずれかに記載の陰唇間パッド。
【請求項９】
前記中央指挿入部及び側部指挿入部の少なくとも１つは、陰唇間パッドの裏面に張り付けられた挿入部形成部材により形成されており、この挿入部形成部材の前端部から突出する摘み部を有する請求項１〜８のいずれかに記載の陰唇間パッド。
【発明の詳細な説明】
【技術分野】
【０００１】
本発明は、女性の陰唇間に挟んで使用する陰唇間パッドに関する。
【背景技術】
【０００２】
女性に広く使用される吸収性物品として、生理用ナプキン、タンポン等が知られている。生理用ナプキンは、装着時に陰唇間にナプキンの肌当接面との空隙を生じるため、この空間から経血の液漏れが生じる、という問題があった。タンポンには空間からの液漏れはないものの、装着の困難性、装着時の違和感等の問題があった。女性の陰唇間に挟んで使用される陰唇間パッドは、その肌当接面が直接陰唇間と密着して装着されるものであり、いわゆる生理用ナプキンにおける、陰唇間の空隙からの液漏れを防止する防漏性に優れ、またタンポンと比して装着が容易である、という利点を有する。
【０００３】
陰唇間パッドは、通常陰唇間に生じる空隙を埋める程度の大きさであり、生理用ナプキンと比して小型である。そのため、単独の使用では吸収可能な液量が十分ではなく、生理用ナプキンと併用されるのが通常である。
【０００４】
陰唇間パッドの装着を容易にするために、特許文献１に示すように、肌当接面とは反対側の面に指１本が入る程度のポケットやツマミを有するものが多く使用されている。しかし、特許文献１のように、指１本のみをかける構造を有する陰唇間パッドは、その装着時にパッドのズレや回転などが生じ、目的位置に正確に装着しにくい、という問題があった。また、このように指１本で適した装着部位を探りながら装着する形態は、装着者が装着方法に対して抵抗感を持つ要因となっていた。
【０００５】
さらに、従来の陰唇間パッドには、装着後に装着者の身体が動くことにより、パッドにズレが生じ、液漏れが生じやすいという問題があった。パッドのズレを防止するため、肌当接面に粘着剤塗布部を有する陰唇間パッドも知られている（特許文献２）。特許文献２に開示されている陰唇間パッドは、肌当接面の周縁部全周に粘着剤塗布部が配されているため、粘着剤塗布部の少なくとも一部は陰唇間の粘膜に直接接触する構造となっている。そのため、着脱時に装着者に不快感を与える、カブレの原因となる、などの問題があった。
【先行技術文献】
【特許文献】
【０００６】
【特許文献１】特表２００５−５０３１９３号公報
【特許文献２】特開２００４−１２９９２３号公報
【発明の概要】
【発明が解決しようとする課題】
【０００７】
本発明の主たる課題は、目的位置への確実な装着が容易であり、別途生理用ナプキンを使用せずに単独で使用可能な、陰唇間に挟んで使用する吸収性物品を提供することである。また、本発明のさらなる課題は、装着後にズレにくい構造を有する吸収性物品を提供することである。
【課題を解決するための手段】
【０００８】
この課題を解決した本発明は、次のとおりである。
〔請求項１記載の発明〕
表面側に配置された透液性トップシートと裏面側に配置されたバックシートとの間に吸収体が介在されてなる陰唇間パッドにおいて、
前記陰唇間パッドの裏面における幅方向中央部に中央指挿入部を有し、
前記中央指挿入部の幅方向両側部に１つずつ側部指挿入部を有し、
前記中央指挿入部及び前記側部指挿入部は、前記陰唇間パッドの前側から後ろ側へ向かって指を挿入できるよう構成されている、
ことを特徴とする陰唇間パッド。  
【０００９】
（作用効果）
陰唇間パッドの裏面に例えば人差し指、中指、薬指の３本の指をそれぞれ挿入可能なポケットを有することにより、装着時の陰唇間パッドの回転を防ぎ、位置ズレを軽減することができ、より確実に目的位置に装着することが可能となる。指３本を挿入することにより、装着時に必然的に陰唇間パッド裏面に掌を添える形となり、指１本挿入時と比較し、装着者の使用時の抵抗感を減じることができる。
陰唇間パッドは、装着時、幅方向中央を折目として裏面側にほぼ二つ折りの形状で使用されるものであるが、両側部に指挿入部があることから、装着者は中央指挿入部の指を表面側に押し込み、両側指挿入部に入れた指を裏面側に押し上げることにより、容易に二つ折りの形状とすることができる。よって、単に指挿入部を複数設ける以上の利点がある。
【００１０】
〔請求項２記載の発明〕
前記中央指挿入部後端が側部指挿入部後端より後ろ側に位置する、請求項１記載の陰唇間パッド。
【００１１】
（作用効果）
中央指挿入部を後ろ側に延出させ、例えば装着者の中指の指先が人差し指、薬指より後ろ位置するように構成することで、装着者は中指で適切な装着部位を探りやすくなる。具体的には、中指の指先が排血口付近に来るように位置調整を行うことが容易となる。また、装着位置決定後に指を抜く際、側部指挿入部から指を抜いた後も、幅方向中央部に指が残るため、指を抜く際の位置ずれが起こり難い。
【００１２】
〔請求項３記載の発明〕
前記中央指挿入部が側部指挿入部より、裏面側に高さを有する構造である、請求項１または２に記載の陰唇間パッド。
【００１３】
（作用効果）
装着時、装着者は中央指挿入部に挿入した指の指先でパッドの対応部分を排血口付近に押しつける。そのため、中央指挿入部を裏面側に高さを有する構造とすることで、中央指挿入部内で指を曲げることができ、指先に力がかかりやすく、容易に目的部位にパッドを押しつけることができる。
【００１４】
側部指挿入部に入れた指はパッドを裏面側に反らせるように押し上げるが、その際に反らせた指の力が確実にパッドにかかるよう、指挿入部の裏面側の高さは指の挿入がしやすい程度とし、中央指挿入部よりは低くすることが望ましい。
【００１５】
〔請求項４記載の発明〕
前記側部指挿入部の中央側端部が、前側から後ろ側に向かうにつれて外側に位置するように傾斜している、請求項１〜３のいずれかに記載の陰唇間パッド。
【００１６】
（作用効果）
指挿入用ポケットに、例えば人差し指と薬指を中指より外側に広げた状態で挿入できる構成とすることで、より指を挿入しやすい構造とした。また、前述のように陰唇間パッド装着時は裏面側にほぼ二つ折りにして使用するのが通常であるが、その際、広げた人差し指と薬指で陰唇間パッドを裏面側に押し広げるため、陰唇間パッドの広い範囲に力がかかり、より容易に二つ折りの状態とすることができる。
【００１７】
〔請求項５記載の発明〕
肌当接面における前記側部指挿入部と重なる部分に粘着剤塗布部をそれぞれ有する、請求項１〜４のいずれかに記載の陰唇間パッド。
【００１８】
（作用効果）
陰唇間パッドの肌当接面に粘着剤塗布部を有することにより、装着後の身体の動きによる装着位置のズレを防止することができる。その場合、側部指挿入部に相当する部分に粘着剤塗布部を配置すると、例えば中央指挿入部分に挿入された中指で排血口付近を抑えながら、両側部指挿入部に挿入された人差し指及び薬指で粘着剤塗布部を肌に押し付けて固定することができる。
【００１９】
〔請求項６記載の発明〕
前後方向の長さが１２０〜１７０ｍｍ、幅方向の長さが８０〜１１０ｍｍであり、側端部から５〜２５ｍｍの部分に前記側部指挿入部を有する請求項１〜５記載のいずれかに記載の陰唇間パッド。
【００２０】
（作用効果）
陰唇間パッドの大きさをこのような大きさとすることで、陰唇間パッドのコンパクト性を有しつつも十分な吸収力を有し、別途生理用ナプキンを使用しなくても単独で充分に経血を吸収する陰唇間パッドを提供することができる。その場合、装着時に陰唇間パッドは幅方向に外陰唇外側まで達する構造となり、側部からの漏れを防ぐことができる。
【００２１】
特に、この外陰唇外側に相当する部分の肌当接面に粘着剤塗布部を配すると、陰唇間の粘膜に粘着剤が直接触れることなく、陰唇間パッドを固定することができるため、より好ましい。
【００２２】
〔請求項７記載の発明〕
陰唇間パッドの前端縁及び後端縁が、幅方向中央から幅方向両側に向かうにつれてそれぞれ前後方向中央から離間するように突出した後、側縁に向かうにつれて前後方向中央側へ戻る曲線をなしている、請求項１〜６のいずれかに記載の陰唇間パッド。
【００２３】
（作用効果）
通常陰唇間パッドは楕円形の形状であり、装着時には幅方向にほぼ二つ折りの状態になる。その際、折り目の前端部及び後端部が鋭角となる（図４（Ａ）の鋭角部４１）。この鋭角部位が皮膚に当たると装着者に不快感を与えやすい。そのため、陰唇間パッドを幅方向に二つ折りにした状態で、前後端が丸みを帯びた形状となるような構成とした。
【００２４】
〔請求項８記載の発明〕
前記吸収体が、幅方向中央部における前記側部指挿入部と重ならない部分に中高部を有する請求項１〜７のいずれかに記載の陰唇間パッド。
【００２５】
（作用効果）
陰唇間パッドの陰唇間に相当する部位に中高部を設けることにより、より液吸収量を増やすことができる。中高部は側部指挿入部とは重ならない位置に配置されているため、側部指挿入部に入れた２本の指で陰唇間パッドが裏面側に折られる際に、中高部がより陰唇間にフィットするよう表面側中央部に盛り上がり、陰唇間へのフィット性が増す。
【００２６】
〔請求項９記載の発明〕
前記中央指挿入部及び側部指挿入部の少なくとも１つは、陰唇間パッドの裏面に張り付けられた挿入部形成部材により形成されており、この挿入部形成部材の前端部から突出する摘み部を有する請求項１〜８のいずれかに記載の陰唇間パッド。
【００２７】
（作用効果）
このような摘み部を設けることにより、装着後に装着者が手指を汚すことなく陰唇間パッドを外すことができる。摘み部は挿入部形成部材と別体のものを取り付けてもよく、挿入部形成部材の一部を突出させて一体的に形成してもよい。
【発明の効果】
【００２８】
本発明に係る陰唇間パッドは、３本の指を裏面に固定して装着するため、回転や装着位置のズレが生じにくく、目的部位により確実に装着させることが可能である。
【図面の簡単な説明】
【００２９】
【図１】第１の実施形態に係る陰唇間パッドを裏面側からみた平面図である。
【図２】第１の実施形態に係る陰唇間パッドの表面側からみた平面図である。
【図３】図２のI−I線矢視図である。
【図４】第１の実施形態に係る陰唇間パッドと従来例の外形、及び裏面側に二つ折りにした際の外形を示す模式図である。（Ａ）従来例、（Ｂ）本発明に係る陰唇間パッド。
【図５】第２の実施形態に係る陰唇間パッドを表面側からみた平面図である。
【図６】図５のII−II線矢視図である。
【図７】第３の実施形態に係る陰唇間パッドを表面側からみた平面図である。
【図８】第４の実施形態に係る陰唇間パッドを裏面側からみた平面図である。
【図９】第１の実施形態に係る陰唇間パッドの指挿入例を裏面側からみた図である。
【発明を実施するための形態】
【００３０】
本発明における「陰唇間パッド」とは、その大きさ、形状にかかわらず、女性の陰唇間に挟んで使用する吸収性物品を指し、下着等に固定しないものの他、下着等に固定するものも含む。また、本発明において、陰唇間パッドの「表面側」は肌当接面側、「裏面側」は肌当接面とは反対側を指す。さらに、陰唇間パッドの「前側」とは装着部中央からみて尿道口側を指すものとし、「後ろ側」とは肛門側を指すものとする。
【００３１】
以下、本発明の実施形態を図示例とともに説明する。
（第１の実施形態）
図１は、本発明に係る陰唇間パッドの裏面側から見た構造の平面図である。また、図２は、表面側からみた構造の平面図である。図３は、図１のI−I線矢視図である。
【００３２】
図中に例示される陰唇間パッド１の大きさは、前後方向に１２０〜１７０ｍｍ、幅方向に８０〜１１０ｍｍ、とすることが好ましい。より好適には、幅方向に８０〜９０ｍｍ、前後方向に１４０〜１６０ｍｍとする。従来の陰唇間パッドの大きさは、幅方向が６０ｍｍ程度、前後方向が１１０ｍｍ程度であり、その経血吸収量は少なく、生理用ナプキンと併用する必要があったが、前記の大きさとすることにより、より高い経血吸収能を確保できるため、陰唇間パッド単独での使用が可能となる。
【００３３】
陰唇間パッド１の周縁は、前端縁及び後端縁が、幅方向中央から幅方向両側に向かうにつれてそれぞれ前後方向中央から離間するように突出した後、側縁に向かうにつれて前後方向中央側へ戻る曲線をなす構造とするのが望ましい。例えば、図示例のように前後端縁の中央に、イチョウ型の切欠部分を設けるとより好ましい。従来の陰唇間パッドの多くは図４（Ａ）のように楕円形の形状のものが多かったが、装着時に幅方向中央線を折り目に裏面側に二つ折りにすると、前後端に鋭角部４１が生じてしまい、装着時に角が皮膚に当たり、装着者に不快感を感じさせる要因となっていた。図４（Ｂ）のように、前後端縁にイチョウ型の切欠部分を設けることにより、二つ折りにしても鋭角部分を生じず、装着時の不快感を防止することができる。
【００３４】
本形態に係る陰唇間パッドは、ポリエチレンシートなどからなる不透液性バックシート２と、経血やおりものなどを速やかに透過させるトップシート３と、これら両シート２，３間に介装された綿状パルプまたは合成パルプなどからなる吸収体４，５とから主に構成される。吸収体４の外周周囲においては、その不透液性バックシート２とトップシート３との外縁部がホットメルトなどの接着剤やヒートシール等の接着手段によって接合されている。
【００３５】
不透液性バックシート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。不透液性バックシート２としては、プラスチックフィルムと不織布とを積層させたポリラミ不織布を用いてもよい。
【００３６】
透液性トップシート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。透液性トップシート３に多数の透孔を形成した場合には、経血が速やかに吸収されるようになり、ドライタッチ性に優れたものとなる。なお、後述するように、上層吸収体４Ａは合成繊維の配合により液保持性が低下するため、トップシート３としてエアスルー不織布等の液保持性に富む素材を用いると、トップシート３に液残りを生ずるおそれがあるため、有孔のフィルム又は不織布のように液保持し難い素材が好適である。
【００３７】
陰唇間パッド１裏面の中央部には前後方向に延在して中央指挿入部１１が形成されており、その両側に各１つずつ側部指挿入部１２，１３が形成されている。これらの指挿入部は、前側に開口を有し、パッド１の前側から後ろ側に向かって指を挿入できるように構成されている。通常、装着者が右手を使用する場合、図９に示すように、中央指挿入部１１には中指、側指挿入部１２，１３には人差し指、薬指を挿入する。図示例では指挿入部形成部材が接着部１４において接着されており、指挿入部が前側にのみ開口部を有するポケット状構造を形成しているが、前後両方に開口部を有するストリップ状構造（特許文献１のストリップ材料（８６）様の構造）等、指を前後方向に挿入してパッド１裏面に固定できる形状であれば、その形状は限定されない。指挿入部１１，１２，１３を形成する部材は、透液性、不透液性を問わず、ポリエチレン等の樹脂シート、不織布等の柔軟性のあるシートであれば、いずれも使用することができる。
【００３８】
中央指挿入部１１は、その後端部が後ろ側に位置するように形成され、中央指挿入部に挿入した指の先端が、他の挿入部に挿入した指よりも後側に位置するように形成されることが好ましい。また、中央指挿入部は、図３に例示されるように、形成される開口が他の指挿入部より裏面側に高さを有する構造とすると、パッド１を排血口に密着させる際に、挿入された指の内部での曲げ伸ばしが容易となり、指先でパッド中央部をより目的部位に押しつけやすくなるため、より好ましい。一方で側部指挿入部に挿入した指は、パッドを裏面側に反らせるように押し上げるため、指の力がパッドにかかりやすいよう、指の挿入し易さを損なわない程度に、その開口部の高さは低くすることが望ましい。
【００３９】
側部指挿入部１２，１３は、幅方向中央線に平行な長方形としてもよいが、より好適には、挿入した指がパッドの外側に開くように斜めに形成する。装着者は、中央の指を肌側に押し付け、側部の指を裏面側に反らせ、パッド全体をほぼ二つ折りの形状として装着することとなるが、側部に挿入した指が外側に開きやすい構造とすることで、パッド全体に指の力がかかり、よりパッドを二つ折り構造にしやすくなる。
【００４０】
図示例においては、吸収体４，５は、吸収体５の部分が中高部を形成する二層構造となっているが、一層構造としてもよく、同一の大きさ、形状の吸収体を重ねた二層構造としてもよい。図示例においては、吸収体５がエンボス８で固定されて中高部が形成されているが、当該エンボスを設けない構造としてもよい。吸収体５の位置は側部指挿入部１２，１３と重ならない位置とすることが好ましく、また、大きさは陰唇間にフィットさせるため、前後方向に４０〜８０ｍｍ、幅方向に３０〜５０ｍｍとすることが好ましい。
【００４１】
吸収体４，５としては、経血を吸収・保持し得るものであれば良く、通常はフラッフ状パルプ中に吸水性ポリマー粉末を混入したものが吸収機能および価格の点から好適に使用される。また、吸収体４，５には合成繊維が含まれていてもよい。吸収体４，５は形状及びポリマー粉末保持等のために包装シート４Ｌ，５Ｌによって囲繞するのが望ましい。包装シート４Ｌ，５Ｌは、クレープ紙、親水性不織布等の公知のシートを使用できるが、ポリエチレンまたはポリプロピレン等のオレフィン系、ポリエステル系、ポリアミド系等、もしくはその複合繊維、共重合体、ブレンド体といった熱融着性を有する合成繊維を混入させたシートとすることがより好ましい。熱融着繊維は、少なくともトップシートと直接接触する部分に混入させればよいが、製造効率等より、全体的に混入させることがより好ましい。
【００４２】
中間シート６は、図示例では筒状に折り畳まれて２層構造となっているが、折り畳まずに単層構造としても良い。中間シート６の素材は液透過性を有するものであれば良いが、親水性を有するものが好適である。具体的には、レーヨンやキュプラ等の再生繊維、綿等の天然繊維を用いることにより素材自体に親水性を有するものを用いるか、ポリエチレンまたはポリプロピレン等のオレフィン系、ポリエステル系、ポリアミド系等の合成繊維を親水性化剤によって表面処理し親水性を付与した繊維を用いることができる。
【００４３】
（第２の実施形態）
図５及び６に第２の実施形態を示す。
陰唇間パッドの肌当接面側には、図５に示すようにサイド不織布７で形成されたフラップ部Ｆを設けてもよい。フラップ部Ｆは、トップシートとは別のサイド不織布７によって形成され、図示のようにパッド側部側が固定され、パッド中央側が固定されない構造となっており、経血の側部方向へのモレを防止する効果を有する。具体的には経血等が浸透するのを防止する、あるいは肌触り感を高めるなどの目的に応じて、適宜の撥水処理または親水処理を施した不織布素材を用いて構成されている。
【００４４】
第２の実施形態において、透液性トップシート３の幅寸法は、図示例では、図６の横断面図に示されるように、吸収体４の幅よりも若干長めとされ、フラップ部Ｆは吸収体４の側端とトップシート３の側端の間を起立基端とし、かつ少なくとも排血口周縁側部を覆うように前後方向に所定の区間内において表面側に突出して左右一対に構成される。したがって、両側のフラップ部Ｆの間のトップシート３が肌側に露出し、肌当接面３Ｆを形成する。トップシート３の側縁部がサイド不織布７と接合され、吸収体４より側方に延出している不透液性バックシート２とサイド不織布７が接合される。サイド不織布７の内方側部分はほぼ二重に折り返され、トップシート３と接合されている。サイド不織布７の二重シート内部に糸状弾性部材を配し、フラップ部Ｆが立体的に立ち上がる構造としてもよい(図示せず)。
【００４５】
かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３ｇ／ｍ2として作製された不織布を用いるのが望ましく、かつ経血の透過を確実に防止するためにシリコン系、パラフィン系、アルキルクロミッククロリド系撥水剤などをコーティングした撥水処理不織布が好適に使用される。
【００４６】
（第３の実施形態）
図７に第３の実施形態を示す。
図７に示す形態においては、陰唇間パッド表面の幅方向外側部には、粘着剤塗布部７１が設けられる。粘着剤塗布部７１は、側部指装入部１２，１３と重なる部分に設けられ、フラップ部Ｆを有する場合は、フラップ部Ｆの外側に設けられるものとする。粘着剤塗布部７１を側部指挿入部１２，１３と重なる部分に設けることにより、側部指挿入部１２，１３に挿入した２本の指で、粘着部を肌に確実に押し付け、パッドを固定することができる。また、粘着剤塗布部７１を陰唇間パッド幅方向外側に限定することにより、陰唇間の粘膜に粘着剤を触れさせることなく、パッドを固定することができる。粘着剤としては、アクリル系粘着剤、天然ゴムや合成ゴムを主成分とするゴム系粘着剤、シリコン系粘着剤等、肌に負担をかけない材質の粘着剤を適宜選択して使用できる。
【００４７】
粘着剤の粘着剤塗布部７１全面に塗布してもよいが、装着者の肌への負担を軽減するため、パターン化させることが好ましい。塗布パターンは特に限定されないが、図７に示すように、半月型（図７（Ａ））、ドット型（図７（Ｂ））、斜線（図７（Ｃ））、波型（図７（Ｄ））等とすることができる。
【００４８】
（第４の実施形態）
図８に第４の実施形態を示す。
多くの陰唇間パッドは、パッドの前端部を手指で摘んで取り外す形態となっており、その際に手指に経血等が付着するおそれがあった。図８に示すように、中央指挿入部１１の前端に指で摘める摘み部８１を設けることにより、パッドの取り外しがより容易となる。摘み部８１は、側部指挿入部１２，１３のいずれかに設けてもよい。摘み部８１は、図示例のように中央指挿入部とは別体で取り付けてもよく、また、中央指挿入部１１を形成する部材と一体に形成してもよい。摘み部８１は、指挿入部形成素材と同じ素材であってもよく、ポリエチレンフィルム、不織布等、柔軟性を有する素材であれば、いずれも使用できる。好ましくは、装着者の肌に触れても害の少ない素材を適宜選択する。また、摘み部８１の形状、大きさは特に限定されないが、図示例のように、前後方向の長さがパッド全長の１／８〜１／４程度の半楕円形の形状とするとより好ましい。
【産業上の利用可能性】
【００４９】
本発明は、吸収性物品のうち、女性の陰唇間に挟んで使用する陰唇間パッドについて利用することができる。
【符号の説明】
【００５０】
１…生理用ナプキン、２…不透液性バックシート、３…透液性トップシート、４，５…吸収体、４Ｌ，５Ｌ…包装シート、６…中間シート、７…サイド不織布、８…中高部エンボス、１１…中央指挿入部、１２，１３…側部指挿入部、１４…指挿入部接着部、７１…粘着剤塗布部、８１…摘み部、Ｆ…フラップ部。
【図１】
2011067512.tif 000003
【図２】
2011067512.tif 000004
【図３】
2011067512.tif 000005
【図４】
2011067512.tif 000006
【図５】
2011067512.tif 000007
【図６】
2011067512.tif 000008
【図７】
2011067512.tif 000009
【図８】
2011067512.tif 000010
【図９】
2011067512.tif 000011